(57)【要約】【課題】明るく、色ズレや音声ズレ等が無く、高品質な映像を再生できるようにする。【解決手段】図示の信号伝送装置１は、映像信号等が信号線４Ａ，…を介して送信器２から受信器３へ伝送され、該受信器側で映像を再生できるように構成されている。映像信号等は、伝送距離が長いとゲインが低下したり、高域の周波数成分が減衰したり、スキューが発生したりするおそれがあるが、本発明では、映像信号を伝送する前に、信号調整のための信号（つまり、ゲイン調整信号や、高域補償用の調整信号や、スキュー調整信号）を送信器２から受信器３に順次伝送し、受信器側では、それらの調整信号から調整値を求めておく。そして、映像信号等が伝送されてくる際には、その調整値に基づき波形を調整して、明るく、色ズレや音声ズレ等が無く、高品質な映像を再生できるようにしている。【選択図】図１
2010166118.tif 000002
【特許請求の範囲】
【請求項１】
映像信号と映像信号以外の信号とを送信器から受信器へ伝送するように構成された信号伝送装置において、
前記送信器と前記受信器とを接続するように配置されると共に、前記送信器から前記受信器に映像信号を伝送する複数本の第１信号線と、
前記送信器と前記受信器とを接続するように配置されると共に、前記送信器から前記受信器に、映像信号以外の信号を伝送する少なくとも１本の第２信号線と、
を備え、
前記送信器は、
ゲイン調整用のゲイン調整信号を少なくとも１本の前記第１信号線に出力するゲイン調整信号出力部と、
高域補償用の調整信号を少なくとも１本の前記第１信号線に出力する高域調整信号出力部と、
スキュー調整用のスキュー調整信号を全ての前記第１信号線に出力するスキュー調整信号出力部と、
これらの出力部を制御して、映像信号が伝送されていない間に各調整信号を出力させる出力タイミング制御部と、
どの調整信号が送信中であるかを示す識別信号を前記受信器に対して出力する識別信号出力部と、
を有し、
前記受信器は、
前記識別信号出力部及び前記ゲイン調整信号出力部からの信号に基づきゲイン調整値を求め、前記映像信号が伝送されてきた場合に該映像信号のゲイン調整を行うゲイン調整部と、
前記識別信号出力部及び前記高域調整信号出力部からの信号に基づき高域調整値を求め、前記映像信号が伝送されてきた場合に該映像信号の高域調整を行う高域調整部と、
前記識別信号出力部及び前記スキュー調整信号出力部からの信号に基づきスキュー調整値を求め、前記映像信号が伝送されてきた場合にスキュー調整を行うスキュー調整部と、
を有する、
ことを特徴とする信号伝送装置。
【請求項２】
前記スキュー調整部は、前記ゲイン調整部によるゲイン調整がなされ、前記高域調整部による高域調整がなされた後のスキュー調整信号を利用して調整を行う、
ことを特徴とする請求項１に記載の信号伝送装置。
【請求項３】
前記識別信号出力部は、前記第２信号線に対して前記識別信号を出力する、
ことを特徴とする請求項１又は２に記載の信号伝送装置。
【請求項４】
映像信号と映像信号以外の信号とを送信器から受信器へ伝送するように構成された信号伝送装置において、
前記送信器と前記受信器とを接続するように配置されると共に、前記送信器から前記受信器に映像信号を伝送する複数本の第１信号線と、
前記送信器と前記受信器とを接続するように配置されると共に、前記送信器から前記受信器に、映像信号以外の信号を伝送する少なくとも１本の第２信号線と、
を備え、
前記送信器は、
ゲイン調整用のゲイン調整信号を少なくとも１本の前記第１信号線に出力するゲイン調整信号出力部と、
スキュー調整用のスキュー調整信号を全ての前記第１信号線に出力するスキュー調整信号出力部と、
これらの出力部を制御して、映像信号が伝送されていない間に各調整信号を出力させる出力タイミング制御部と、
どの調整信号が送信中であるかを示す識別信号を前記受信器に対して出力する識別信号出力部と、
を有し、
前記受信器は、
前記識別信号出力部及び前記ゲイン調整信号出力部からの信号に基づきゲイン調整値を求め、前記映像信号が伝送されてきた場合に該映像信号のゲイン調整を行うゲイン調整部と、
前記識別信号出力部及び前記スキュー調整信号出力部からの信号に基づきスキュー調整値を求め、前記映像信号が伝送されてきた場合にスキュー調整を行うスキュー調整部と、
前記ゲイン調整部が求めたゲイン調整値に基づき、前記第１信号線の長さを演算する信号線長演算部と、
複数の信号線長、及び各信号線長に対応する高域調整値のテーブルデータを格納するテーブルデータメモリ部と、
前記信号線長演算部と前記テーブルデータメモリ部とから高域調整値を求め、映像信号が伝送されてきた場合に該高域調整値に基づき該映像信号の高域調整を行う高域調整部と、
を有する、
ことを特徴とする信号伝送装置。
【発明の詳細な説明】
【技術分野】
【０００１】
本発明は、送信器から受信器へ映像信号等を伝送するように構成された信号伝送装置に関する。
【背景技術】
【０００２】
近年、送信器と受信器とをケーブルにて接続しておいて、該送信器から該受信器に映像信号や音声信号等を長距離伝送できるようにした信号伝送装置が提案されている（例えば、特許文献１参照）。
【０００３】
図５は、従来の信号伝送装置の構成の一例を示す模式図であって、図中の符号１０２は、映像信号（例えば、ＲＧＢ信号）及び音声信号（例えば、左右の音声信号ＳＬＡ，ＳＲＡ）を送信するための送信器を示し、符号１０４は、それらの信号を伝送するためのケーブルを示し、符号１０３は、該ケーブル１０４を介して伝送されてきた各信号を受信する受信器を示す。また、符号１０５は、映像信号等を前記送信器１０２に入力するためのパソコンを示し、符号１０６は、映像を表示する映像表示装置を示す。なお、このケーブル１０４には、４ペアの信号線を有するカテゴリー５のツイストペアケーブルが用いられていて、３ペアの信号線で映像信号等が伝送され、残りの１ペアの信号線で音声信号等が伝送されるようになっていた。
【０００４】
ところで、信号の長距離伝送を行う場合には、信号線の長さの違いに基づく信号の遅延（スキュー）が発生して、映像に色ズレが起こったり、音声と映像のタイミングがずれてしまったりするという問題があった。この問題は、例えば、上述のようなツイストペアケーブルの場合、クロストークを防ぐために各ペアの信号線が捻ってあって、信号線の長さが微妙に違い、信号の到達タイミングがずれることに起因するものである。そこで、スキューを手動や自動で調整する機能を付加した信号伝送装置が提案されている（例えば、特許文献２参照）。
【０００５】
また、上述のような信号の長距離伝送を行うと、高周波の映像信号が減衰してしまい、受信器側で再生される映像の品質が劣化してしまうという問題もあった。そこで、そのような減衰を補償（以下、“高域補償”とする）する機能を付加した信号伝送装置も提案されている（例えば、特許文献３参照）。
【先行技術文献】
【特許文献】
【０００６】
【特許文献１】特開２００６−０８１０９０号公報
【特許文献２】特開２００７−２４１２３０号公報
【特許文献３】特開２００５−３３４０３号公報
【発明の概要】
【発明が解決しようとする課題】
【０００７】
しかしながら、上述のようなスキュー調整や高域補償を映像再生中に行おうとすると、回路が複雑化してしまい、その分、装置が高価になってしまうという問題があった。例えば、映像再生中に上述のような補償を行おうとすると、映像信号に調整信号（スキューや信号レベルの低下等を検知するためのモニター信号）を重畳しなければならないが、映像信号自体は周波数が一定では無いため、調整信号の映像信号への重畳や、調整信号の分離を行うための回路が必要となり、回路が複雑化してしまう。
【０００８】
また、映像信号に調整信号を重畳させた場合には、何らかの原因でノイズがのってしまうと、ノイズと映像信号との区別がつきにくく、適正に調整することが困難な場合もあった。
【０００９】
本発明は、上述の問題を解消できる信号伝送装置を提供することを目的とするものである。
【課題を解決するための手段】
【００１０】
請求項１に係る発明は、図１に例示するものであって、映像信号と映像信号以外の信号とを送信器（２）から受信器（３）へ伝送するように構成された信号伝送装置（１）において、
前記送信器（２）と前記受信器（３）とを接続するように配置されると共に、前記送信器（２）から前記受信器（３）に映像信号を伝送する複数本の第１信号線（４Ａ，４Ｂ，４Ｃ）と、
前記送信器（２）と前記受信器（３）とを接続するように配置されると共に、前記送信器（２）から前記受信器（３）に、映像信号以外の信号を伝送する少なくとも１本の第２信号線（４Ｄ）と、
を備え、
前記送信器（２）は、
ゲイン調整用のゲイン調整信号（図２(a) の符号Ｖ１１参照）を少なくとも１本の前記第１信号線（４Ａ，４Ｂ又は４Ｃ）に出力するゲイン調整信号出力部（２０）と、
高域補償用の調整信号（図３(a) の符号Ｖ２１参照）を少なくとも１本の前記第１信号線（４Ａ，４Ｂ又は４Ｃ）に出力する高域調整信号出力部（２１）と、
スキュー調整用のスキュー調整信号（図４(a) の符号Ｖ３１１，Ｖ３１２，Ｖ３１３参照）を全ての前記第１信号線（４Ａ，４Ｂ，４Ｃ）に出力するスキュー調整信号出力部（２２）と、
これらの出力部を制御して、映像信号が伝送されていない間に各調整信号を出力させる出力タイミング制御部（２３）と、
どの調整信号が送信中であるかを示す識別信号を前記受信器（３）に対して出力する識別信号出力部（２４）と、
を有し、
前記受信器（３）は、
前記識別信号出力部（２４）及び前記ゲイン調整信号出力部（２０）からの信号に基づきゲイン調整値を求め、前記映像信号が伝送されてきた場合に該映像信号のゲイン調整を行うゲイン調整部（３０）と、
前記識別信号出力部（２４）及び前記高域調整信号出力部（２１）からの信号に基づき高域調整値を求め、前記映像信号が伝送されてきた場合に該映像信号の高域調整を行う高域調整部（３１）と、
前記識別信号出力部（２４）及び前記スキュー調整信号出力部（２２）からの信号に基づきスキュー調整値を求め、前記映像信号が伝送されてきた場合にスキュー調整を行うスキュー調整部（３２）と、を有することを特徴とする。
【００１１】
請求項２に係る発明は、請求項１に係る発明において、前記スキュー調整部（３２）は、前記ゲイン調整部（３０）によるゲイン調整がなされ、前記高域調整部（３１）による高域調整がなされた後のスキュー調整信号を利用して調整を行うことを特徴とする。
【００１２】
請求項３に係る発明は、請求項１又は２に係る発明において、前記識別信号出力部（２４）は、前記第２信号線（４Ｄ）に対して前記識別信号を出力することを特徴とする。
【００１３】
請求項４に係る発明は、映像信号と映像信号以外の信号とを送信器から受信器へ伝送するように構成された信号伝送装置において、
前記送信器と前記受信器とを接続するように配置されると共に、前記送信器から前記受信器に映像信号を伝送する複数本の第１信号線と、
前記送信器と前記受信器とを接続するように配置されると共に、前記送信器から前記受信器に、映像信号以外の信号を伝送する少なくとも１本の第２信号線と、
を備え、
前記送信器は、
ゲイン調整用のゲイン調整信号を少なくとも１本の前記第１信号線に出力するゲイン調整信号出力部と、
スキュー調整用のスキュー調整信号を全ての前記第１信号線に出力するスキュー調整信号出力部と、
これらの出力部を制御して、映像信号が伝送されていない間に各調整信号を出力させる出力タイミング制御部と、
どの調整信号が送信中であるかを示す識別信号を前記受信器に対して出力する識別信号出力部と、
を有し、
前記受信器は、
前記識別信号出力部及び前記ゲイン調整信号出力部からの信号に基づきゲイン調整値を求め、前記映像信号が伝送されてきた場合に該映像信号のゲイン調整を行うゲイン調整部と、
前記識別信号出力部及び前記スキュー調整信号出力部からの信号に基づきスキュー調整値を求め、前記映像信号が伝送されてきた場合にスキュー調整を行うスキュー調整部と、
前記ゲイン調整部が求めたゲイン調整値に基づき、前記第１信号線の長さを演算する信号線長演算部と、
複数の信号線長、及び各信号線長に対応する高域調整値のテーブルデータを格納するテーブルデータメモリ部と、
前記信号線長演算部と前記テーブルデータメモリ部とから高域調整値を求め、映像信号が伝送されてきた場合に該高域調整値に基づき該映像信号の高域調整を行う高域調整部と、
を有することを特徴とする。
【００１４】
なお、括弧内の番号などは、図面における対応する要素を示す便宜的なものであり、従って、本記述は図面上の記載に限定拘束されるものではない。
【発明の効果】
【００１５】
請求項１、３及び４に係る発明によれば、ゲイン調整と高域調整とスキュー調整とが行われるので、明るく、色ズレや音声ズレ等が無く、高品質な映像を再生することが可能となる。また、本発明は、映像再生中にこれらの調整を行うものでは無いため、調整信号の映像信号への重畳や、調整信号の分離を行うための回路は不要となり、回路の複雑化を回避することができる。
【００１６】
請求項２に係る発明によれば、スキュー調整信号が伝送される際に劣化したとしても、受信器側で元の形状（例えば、矩形波）に復元されることとなるので、位相ズレ量を精度良く求めることができる。
【図面の簡単な説明】
【００１７】
【図１】図１は、本発明に係る信号伝送装置の全体構成の一例を示すブロック図である。
【図２】図２(a) は、ゲイン調整信号（送信器側）の一例を示す波形図であり、同図(b)は、ゲイン調整信号（受信器側）の一例を示す波形図である。
【図３】図３(a) は、高域調整信号（送信器側）の一例を示す波形図であり、同図(b)は、高域調整信号（受信器側）の一例を示す波形図である。
【図４】図４(a) は、スキュー調整信号（送信器側）の一例を示す波形図であり、同図(b)は、スキュー調整信号（受信器側）の一例を示す波形図である。
【図５】図５は、従来の信号伝送装置の構成の一例を示す模式図である。
【発明を実施するための形態】
【００１８】
以下、図１乃至図４に沿って、本発明を実施するための形態について説明する。ここで、図１は、本発明に係る信号伝送装置の全体構成の一例を示すブロック図であり、図２(a) は、ゲイン調整信号（送信器側）の一例を示す波形図であり、同図(b) は、ゲイン調整信号（受信器側）の一例を示す波形図である。また、図３(a)
は、高域調整信号（送信器側）の一例を示す波形図であり、同図(b) は、高域調整信号（受信器側）の一例を示す波形図である。さらに、図４(a) は、スキュー調整信号（送信器側）の一例を示す波形図であり、同図(b)
は、スキュー調整信号（受信器側）の一例を示す波形図である。
【００１９】
本発明に係る信号伝送装置は、映像信号と映像信号以外の信号とを送信器から受信器へ伝送するものであり、具体的には、図１に符号１で例示するものであって、
・  映像信号（例えば、ＲＧＢ信号）や、映像信号以外の信号（例えば、音声信号やＲＳ２３２Ｃ信号等）を送信する送信器２と、
・  それらの信号を受信する受信器３と、
・  前記送信器２と前記受信器３とを接続するように配置されると共に、前記送信器２から前記受信器３に映像信号を伝送する複数本の第１信号線４Ａ，４Ｂ，４Ｃと、
・  前記送信器２と前記受信器３とを接続するように配置されると共に、前記送信器２から前記受信器３に、映像信号以外の信号を伝送する少なくとも１本の第２信号線４Ｄと、
を備えている。
【００２０】
そして、前記送信器２は、
・  ゲイン調整用のゲイン調整信号を少なくとも１本の前記第１信号線４Ａ，４Ｂ又は４Ｃに出力するゲイン調整信号出力部２０と、
・  高域補償用の調整信号を少なくとも１本の前記第１信号線４Ａ，４Ｂ又は４Ｃに出力する高域調整信号出力部２１と、
・  スキュー調整用のスキュー調整信号を全ての前記第１信号線４Ａ，４Ｂ，４Ｃに出力するスキュー調整信号出力部２２と、
・  これらの出力部２０，２１，２２を制御して、映像信号が伝送されていない間に各調整信号を出力させる出力タイミング制御部２３と、
・  どの調整信号が送信中であるかを示す識別信号を前記受信器３に対して出力する識別信号出力部２４と、
を備えている。なお、この識別信号は、前記第２信号線４Ｄに対して出力するようにしておくと良い。
【００２１】
また、他方の受信器３は、
・  前記識別信号出力部２４及び前記ゲイン調整信号出力部２０からの信号に基づきゲイン調整値を求め、前記映像信号が伝送されてきた場合に該映像信号のゲイン調整を行うゲイン調整部３０と、
・  前記識別信号出力部２４及び前記高域調整信号出力部２１からの信号に基づき高域調整値を求め、前記映像信号が伝送されてきた場合に該映像信号の高域調整を行う高域調整部（第１高域調整部）３１と、
・  前記識別信号出力部２４及び前記スキュー調整信号出力部２２からの信号に基づきスキュー調整値を求め、前記映像信号が伝送されてきた場合にスキュー調整を行うスキュー調整部３２と、
を備えている。
【００２２】
以下、各調整信号の波形、並びに受信器側での作用について説明する。
【００２３】
上述のゲイン調整信号は、例えば図２(a) に符号Ｖ１１で示すような一定電圧の信号（例えば、０．７Ｖの信号）にすると良い。いま、このゲイン調整信号Ｖ１１が、前記第１信号線４Ａ，４Ｂ又は４Ｃを伝送される際に電圧降下し、受信器側で０．３Ｖに低下したとする（同図(b)
の符号Ｖ１２参照）。同時に、前記識別信号出力部２４からは上述の識別信号が送信されているので、該受信器側のゲイン調整部３０は、該識別信号からゲイン調整信号送信中であることを検知し、ゲイン調整信号Ｖ１２のレベルの測定を行って電圧降下分ΔＶ（ゲイン調整値）を求める。そして、映像再生時には、映像信号のレベルをΔＶ分（例えば、０．３Ｖ）だけ引き上げて映像の再生を行う。これにより、再生映像の明るさを最適なものにすることができる。
【００２４】
また、上述の高域補償用の調整信号としてはサイン波を挙げることができる。その場合、
・  一の周波数のサイン波を１本（又は複数本）の第１信号線４Ａ，４Ｂ又は４Ｃに伝送するようにしても、
・  異なる周波数の複数のサイン波を１本又は複数本の第１信号線４Ａ，４Ｂ又は４Ｃに伝送するようにしても、
どちらでも良い。そして、その調整信号の減衰を上述の高域調整部３１にて検知して高域調整値を求め、映像再生時の映像信号を補償してやると良い。なお、高域補償用の調整信号として、図３(a) に符号Ｖ２１で示すような矩形波を伝送するようにしても良い。該矩形波を長距離伝送した場合には、同図(b) に符号Ｖ２２で示すようにハッチング部が減衰した波形となるが、該波形から高域調整値を演算するようにしても良い。
【００２５】
さらに、上述のスキュー調整信号は、例えば図４(a) に符号Ｖ３１１，Ｖ３１２，Ｖ３１３で示すものであってパルス状のものとし、全ての前記第１信号線４Ａ，４Ｂ，４Ｃに同時に出力すると良い。このとき、前記識別信号出力部２４からは上述の識別信号が送信されているので、前記受信器側のスキュー調整部３２は、該識別信号からスキュー調整信号送信中であることを検知し、スキュー調整信号Ｖ３２１，Ｖ３２２，Ｖ３２３の位相ズレ量を求める（同図(b)
参照）。そして、映像再生時には、各映像信号の位相を該位相ズレ量だけずらし、同期を取る。これにより、映像を再生する場合における映像の色ズレや、音声と映像のタイミングズレを抑制することができる。
【００２６】
なお、上述のスキュー調整信号Ｖ３２１，Ｖ３２２，Ｖ３２３に対して、ゲイン調整部３０によるゲイン調整、及び／又は高域調整部３１による高域調整を行うように構成しておいて、上述のスキュー調整部３２によるスキュー調整は、少なくとも上述の高域調整部３１による高域調整がなされた後の映像信号に対して行うと良く、好ましくは、上述のゲイン調整部３０によるゲイン調整、及び高域調整部３１による高域調整の両方がなされた後のスキュー調整信号に対して行うと良い。そのようにした場合には、スキュー調整信号が伝送される際に劣化したとしても、受信器側で元の形状（例えば、矩形波）に復元されることとなるので、位相ズレ量を精度良く求めることができる。
【００２７】
また、上述の受信器３には、ゲイン調整値や高域調整値やスキュー調整値を記憶する不揮発性のメモリ部３３を設けておくと良い。そのようにした場合には、受信器３の電源をオフにした後も各調整値が記憶されているので、受信器３をオンにして映像を再生する時には、各調整値の再検出を行うことなく適正な映像を表示することができる。
【００２８】
さらに、上述の送信器２から受信器３への信号伝送は、カテゴリー５のツイストペアケーブルにより行うと良い。かかるケーブルは４ペアの信号線を有しているが、３ペアの信号線（上述の第１信号線に該当）で映像信号を伝送するようにし、残りの１ペアの信号線（上述の第２信号線に該当）で音声信号やＲ２３２Ｃ信号を伝送するようにすると良い。
【００２９】
また、上述の映像信号の送信は、上述の調整信号を送信してから一定時間が経過した後（具体的には、ゲイン調整部３０等が各調整値を検出できる時間が経過した後）に行うようにすると良い。
【００３０】
本発明によれば、ゲイン調整と高域調整とスキュー調整とが行われるので、明るく、色ズレや音声ズレ等が無く、高品質な映像を再生することが可能となる。また、本発明は、映像再生中にこれらの調整を行うものでは無いため、調整信号の映像信号への重畳や、調整信号の分離を行うための回路は不要となり、回路の複雑化を回避することができる。さらに、各調整信号を各映像信号に重畳させることにより  調整を映像信号再生中に行おうとした場合には、何らかの原因でノイズが乗ってしまっても  ノイズと映像信号との区別がつきにくく、適正に調整することが困難であるが、本発明のように、映像信号が伝送されていないときに各調整信号を伝送した場合には、ノイズが乗ったことを容易に知ることができるので、調整を再度行う等することにより、適正な調整が可能となる。
【００３１】
なお、図１に示す信号伝送装置１では、送信器２から受信器３に高域補償用の調整信号を送信し、該信号の減衰量から高域調整値を求めるようにしているが、そのような調整信号を送信しなくても、信号線４Ａ，４Ｂ又は４Ｃの長さが分かれば高域調整値をある程度は推定できる。したがって、信号伝送装置を以下のような構成にしても良い。
【００３２】
すなわち、送信器には、上述の高域調整信号出力部２１は設けずに、ゲイン調整信号出力部２０とスキュー調整信号出力部２２と識別信号出力部２４等を設けておき、受信器には、上述の第１高域調整部３１（つまり、前記識別信号出力部２４及び前記高域調整信号出力部２１からの信号に基づき高域調整値を求め、前記映像信号が伝送されてきた場合に該映像信号の高域調整を行う高域調整部３１）は設けずに、ゲイン調整部３０とスキュー調整部３２等を設けておく。さらに、該受信器には、
・  前記ゲイン調整部３０が求めたゲイン調整値に基づき、前記第１信号線４Ａ，４Ｂ又は４Ｃの長さを演算する信号線長演算部（不図示）と、
・  複数の信号線長、及び各信号線長に対応する高域調整値のテーブルデータを格納するテーブルデータメモリ部（不図示）と、
・  前記信号線長演算部と前記テーブルデータメモリ部とから高域調整値を求め、映像信号が伝送されてきた場合に該高域調整値に基づき該映像信号の高域調整を行う高域調整部（第２高域調整部）と、
を設けておいてゲイン調整値から高域調整値を算出するようにしても良い。
【符号の説明】
【００３３】
１            信号伝送装置
２            送信器
３            受信器
４Ａ，４Ｂ，４Ｃ    第１信号線
４Ｄ            第２信号線
２０            ゲイン調整信号出力部
２１            高域調整信号出力部
２２            スキュー調整信号出力部
２３            出力タイミング制御部
２４            識別信号出力部
３０            ゲイン調整部
３１            高域調整部
３２            スキュー調整部
Ｖ１１，Ｖ１２        ゲイン調整信号
Ｖ２１，Ｖ２２        高域補償用の調整信号
Ｖ３１１，Ｖ３１２，Ｖ３１３    スキュー調整信号
【図１】
2010166118.tif 000003
【図２】
2010166118.tif 000004
【図３】
2010166118.tif 000005
【図４】
2010166118.tif 000006
【図５】
2010166118.tif 000007